(57)【要約】  本発明は、人体に骨癒着方式で植え付けるインプラントに関し、人体に植え付けられて支持機能を果たすインプラント１０と、前記インプラント１０に結合して塞ぐ機能を果たす蓋部２０とを含み、前記インプラント１０に形成されて、薬物カートリッジ３０を受容するだけでなく前記蓋部２０により開閉される受容部１２と、前記受容部１２の壁面に形成されて、前記薬物カートリッジ３０の内容物を拡散放出する多数の拡散部１４と、前記拡散部１４の端部に形成されて、前記薬物カートリッジ３０の内容物を人体に注入する各々の投薬部１６とをさらに備えることによって、前記インプラントによって薬物を持続的に投薬することによって、前記薬物の経口的な服用及び注射の過程で発生する各種不便及び前記薬物の経口的な投薬過程で発生する各種副作用が最小化される。
2015511159.tif 000002
【特許請求の範囲】
【請求項１】
人体に植え付けられて支持機能を果たすインプラント１０と、前記インプラント１０に結合して塞ぐ機能を果たす蓋部２０と、を含み、
前記インプラント１０に形成されて薬物カートリッジ３０を受容するだけでなく前記蓋部によって開閉される受容部１２と、
前記受容部１２の壁面に形成されて前記薬物カートリッジ３０の内容物を拡散放出する多数の拡散部１４と、
前記拡散部１４の端部に形成されて、前記薬物カートリッジ３０の内容物を人体に注入する各々の投薬部１６と、
をさらに備えることを特徴とするインプラントを利用した薬物伝達装置。
【請求項２】
前記インプラント１０は、慢性疾患者の歯槽骨に装着されることを特徴とする請求項１に記載のインプラントを利用した薬物伝達装置。
【請求項３】
前記蓋部２０は、前記インプラント１０の注入口にねじ式または締り嵌め式で結合することを特徴とする請求項１に記載のインプラントを利用した薬物伝達装置。
【請求項４】
前記蓋部２０は、その頭部に一字型または十字型のねじ溝２２が形成されたことを特徴とする請求項１に記載のインプラントを利用した薬物伝達装置。
【請求項５】
前記受容部１２は、その壁面に前記薬物カートリッジ３０の受容よび引き出し経路を案内するガイド溝１２−５が形成されたことを特徴とする請求項１に記載のインプラントを利用した薬物伝達装置。
【請求項６】
前記薬物カートリッジ３０は、その周面に前記受容部１２のガイド溝１２−５と雄雌結合されるガイド突起３２が形成されたことを特徴とする請求項１に記載のインプラントを利用した薬物伝達装置。
【請求項７】
前記薬物カートリッジ３０は、その上部面に結合及び分離過程での便利性のための引き出し突起３４が形成されたことを特徴とする請求項１に記載のインプラントを利用した薬物伝達装置。
【請求項８】
前記拡散部１４は、その入口とその出口の断面積を異なるように形成した拡管孔であることを特徴とする請求項１に記載のインプラントを利用した薬物伝達装置。
【請求項９】
前記拡散部１４は、その入口とその出口の傾斜度を異なるように形成した傾斜孔であることを特徴とする請求項１に記載のインプラントを利用した薬物伝達装置。
【請求項１０】
前記拡散部１４は、その入口とその出口の断面積及び傾斜度を同じに形成した水平孔であることを特徴とする請求項１に記載のインプラントを利用した薬物伝達装置。
【発明の詳細な説明】
【技術分野】
【０００１】
本発明は、人体に骨癒着方式で植え付けるインプラントに関し、特にインプラントを利用して患者の疾患治療に必要な各種薬物を持続的に投薬できるようにしたインプラントを利用した薬物伝達装置に関する。
【背景技術】
【０００２】
一般に、薬物伝達システム（Ｄｒｕｇ  ｄｅｌｉｖｅｒｙ  ｓｙｓｔｅｍ、ＤＤＳ）は、既存医薬物の副作用を最小化して、効能及び効果を最大化させて、必要な量の薬物を伝達できるように設計した剤形であり、この薬物伝達システムは、薬物の経口的な服用や注射による不便を解消する手段として利用される。
【０００３】
例えば、薬物伝達システムは、関節炎治療時消炎鎮痛剤を経口で投薬する際に薬物が関節に作用する場合は薬効を示すが、その他の部分、特に胃腸管での潰瘍のような副作用（胃腸管で潰瘍発生）を示すため、このような副作用を低減して薬効を最大化するように剤形を設計することを意味する。
【０００４】
それ以外にも、治療法や薬物の特異な物理化学的特性、薬動学的特性などを考慮して、薬物の伝達経路と伝達技術の形態に新しい方法を導入することによって、効果的な治療方法を得て、患者の不快感を低減するなど便益を目的に開発使用されており、現在相当な研究が進行中である。
【０００５】
しかしながら、長期間の持続的な薬物投薬が必要な慢性疾患の外来患者の場合、前記薬物の経口的な服用が最も一般的な形態であり、これにより、前記薬物自体の剤形の優秀性があるにもかかわらず、患者の長時間服用がよく守られない問題が常に存在し、慢性疾患の治療及び悪化抑制に大きな課題になっており、これは個人健康はもちろん国の経済面からも捨てられる薬などの問題によって相当な損失を招いているのが現状である。
【０００６】
このような慢性疾患中代表的な疾患の一つである糖尿病の治療には、最近インスリンポンプのようなものが開発されて、持続的な薬物投薬及び薬物濃度の維持を可能にする発展的成果が得られているが、結局は注射針を使うことによって生じる痛み及び恐怖感と日常生活での運動制限をもたらす課題があった。
【０００７】
その他にも高血圧製剤、パーキンソン病製剤及び避妊薬などは、誠実な服薬が必須の分野であり、時間に合わせた薬物服用を忘れたり薬物服用ができないことで健康上の大きい損失をもたらすことになる。
【発明の概要】
【発明が解決しようとする課題】
【０００８】
そこで、本発明は、上述した種々の課題を解決するために案出されたもので、前記インプラントを利用して慢性疾患者の疾患治療に必要な各種薬物を持続的に投薬することによって、前記薬物の定期的な服用及び注射による不便や副作用を最小化させられるようにしたインプラントを利用した薬物伝達装置を提供することにその目的がある。
【課題を解決するための手段】
【０００９】
前記目的を達成するための本発明は、人体に植え付けられて支持機能を果たすインプラントと、前記インプラントに結合して塞ぐ機能を果たす蓋部と、を含み、前記インプラントに形成されて薬物カートリッジを受容するだけでなく前記蓋部によって開閉される受容部と、前記受容部の壁面に形成されて前記薬物カートリッジの内容物を拡散放出する多数の拡散部と、前記拡散部の端部に形成されて、前記薬物カートリッジの内容物を人体に注入する各々の投薬部と、をさらに備える。
【発明の効果】
【００１０】
以上のように、本発明は次のような効果を含む。第一に、前記インプラントによって薬物を持続的に投薬することによって、前記薬物の長期服用及び注射による種々の不便や恐怖が最小化される。第二に、前記インプラントによって薬物を規則的に投薬することによって、前記薬物の経口的な投薬過程で発生する胃腸管の副作用が最小化される。第三に、前記インプラントによって薬物を人体に直接投薬することによって、前記薬物伝達による正確性及び迅速性に優れて投薬効率が向上する。第四に、前記蓋部の開閉作用によって前記薬物カートリッジの受容及び交換による各種作業性が向上して作業者の満足度が最大化される。
【図面の簡単な説明】
【００１１】
【図１】本発明に係る薬物伝達装置の概略的な分解斜視図である。
【図２】（ａ）〜（ｃ）は、本発明に係る薬物伝達装置の実施形態である。
【図３】本発明に係る薬物伝達装置の作動状態を示した概念図である。
【発明を実施するための形態】
【００１２】
以下、本発明に係る一実施形態を説明すると次のとおりである。図１は、本発明に係る薬物伝達装置の概略的な分解斜視図で、図２の（ａ）〜（ｃ）は、本発明に係る薬物伝達装置の実施形態で、図３は、本発明に係る薬物伝達装置の作動状態を示した概念図である。
【００１３】
本発明に係る薬物伝達装置１は、人体に植え付ける支持機能を果たすインプラント１０、及び前記インプラント１０に結合して塞ぐ機能を果たす蓋部２０を含み；前記インプラント１０に形成されて薬物カートリッジ３０を受容するだけでなく前記蓋部２０により開閉される受容部１２と；前記受容部１２の壁面に形成されて、前記薬物カートリッジ３０の内容物を拡散放出する多数の拡散部１４；及び前記拡散部１４の端部に形成されて、前記薬物カートリッジ３０の内容物を人体に注入する各々の投薬部１６をさらに備える構成である。
【００１４】
ここで、前記薬物伝達装置１は、前記インプラント１０と前記蓋部２０と前記薬物カートリッジ３０が互いに結合して構成されて、特に前記インプラント１０に前記受容部１２と前記拡散部１４と前記投薬部１６をさらに備えて、前記慢性疾患者の薬物服用による便利性を増大させたものである。
【００１５】
そして、前記インプラント１０は、前記慢性疾患者の人体、好ましくは慢性疾患者の骨組織にねじ式に固定されるもので、その周面に前記人体にねじ式に結合するねじ山１０−２が形成されて、その内壁上部側に前記蓋部２０がねじ式に結合するねじ山１０−４が形成される。
【００１６】
この時、本願では、前記インプラント１０及び前記蓋部２０の結合構造としてねじ式に結合されるものに限定したが、その他にもスライド方式や締り嵌め方式で固定しても本願の技術範疇に含まれる。
【００１７】
そして、前記受容部１２は、前記インプラント１０に窪むように形成されて、前記薬物カートリッジ３０を受容する空間を提供するものであり、前記薬物カートリッジ３０の外観と対応する形状で形成されて、特に円筒形状に形成することが好ましいが、多角形状に形成しても本願の技術範疇に含まれる。
【００１８】
また、前記受容部１２の壁面には前記薬物カートリッジ３０との結合及び引き出しを案内する少なくとも一つ以上のガイド溝１２−５が形成される。
【００１９】
また、本願では、前記受容部１２の壁面に前記ガイド溝１２−５が形成されたものと限定したが、前記ガイド溝１２−５の代わりにガイド突起を形成しても本願の技術範疇に含まれる。
【００２０】
そして、前記拡散部１４は、前記受容部１２の壁面に一定間隔を置いて、順に貫通形成されたものであり、前記薬物カートリッジ３０の内容物が周辺方向に拡散する空間を提供して、特に前記薬物カートリッジ３０の内容物の流動性を考慮して多様な形状及び大きさで形成することができる。
【００２１】
また、前記拡散部１４の形成過程で、図２の（ａ）のように、その入口とその出口の断面積が異なって、その入口からその出口側に行くほど断面積が順次小さくなったり大きくなる拡散孔で形成する。
【００２２】
また、前記拡散部１４は、図２の（ｂ）のように、その入口とその出口の傾斜度が異なって、その入口からその出口側に行くほど下向きに傾斜する傾斜孔で形成してもよく、図２の（ｃ）のように、その入口とその出口が均一な断面積及び傾斜度を持つ水平孔で形成してもよい。
【００２３】
もちろん、前記拡散部１４の形成過程で、図２の（ａ）に開示された断面積を異ならせて形成する方式と、図２の（ｂ）に開示された傾斜度を異ならせて形成する方式を兼用しても本願の技術範疇に含まれることは当然である。
【００２４】
そして、前記投薬部１６は、前記インプラント１０の外壁面に一定間隔を置いて順に形成されて、柱状骨（Ｂ）と接触するものであり、前記拡散部１４と連通して、前記薬物カートリッジ３０の内容物を人体に放出する機能を果たす。
【００２５】
この時、前記投薬部１６は、前記ねじ山１０−２の谷部分や山部分に形成できるが、前記薬物カートリッジ３０の投薬効率を考慮して、前記谷部分に順に形成することが好ましい。
【００２６】
一方、前記蓋部２０は、前記インプラント１０の注入口に結合して、前記薬物カートリッジ３０の内容物の漏出を防止するだけでなく異物の流入を遮断するものであり、前記受容部１２の上部側にねじ式または締り嵌め方式で結合する。
【００２７】
この時、前記蓋部２０の形成過程で、その頭部に一字形状または十字形状のねじ溝２２を形成することによって、前記蓋部２０の締結及び開放過程での作業性及び便利性を最大化することが好ましい。
【００２８】
そして、前記薬物カートリッジ３０は、前記受容部１２に選択的に挿入されて固定されるものであり、その周面にガイド溝１２−５と雄雌結合方式に嵌め込まれる少なくとも一つ以上のガイド突起３２が形成される。
【００２９】
また、前記薬物カートリッジ３０の取っ手形態の引き出し突起３４が形成されて上面に受容及び引き出し過程で利用される。
【００３０】
この時、前記薬物カートリッジ３０は、ハウジング３６内に薬物を吸収して含む吸収部材を内蔵して構成することが好ましく、特に前記ハウジング３６に前記拡散部１４の形成位置と対応する間隔及び大きさを持つ貫通孔をを形成することによって、薬物供給による効率を最大化することが好ましい。
【００３１】
もちろん、本願では、前記薬物カートリッジ３０として、前記ハウジング３６内に前記吸収部材を内蔵するものに限定して説明したが、その他にも前記ハウジング３６を排除しても本願の技術範疇に含まれる。
【００３２】
以下、本発明に係る作用を説明すると次のとおりである。
まず、本発明に係る薬物伝達システムを稼動しようとする場合、一旦、図３のように、前記薬物伝達装置１を前記慢性疾患者の皮質骨（Ａ）を経由して  柱状骨（Ｂ）に挿入して締結する過程が先決されなければならない。
【００３３】
続いて、前記薬物伝達装置１の前記蓋部２０を開放した状態で、前記受容部１２に慢性疾患者の治療に適合した成分を持つ前記薬物カートリッジ３０を受容して前記蓋部２０を再び締結する。
【００３４】
この過程で、前記インプラント１０に構成されたガイド溝１２−５と前記薬物カートリッジ３０に構成されたガイド突起３２の相互作用によって前記薬物カートリッジ３０の受容及び引き出し作業がスムーズに行われることになる。
【００３５】
こうすると、図３のように前記薬物伝達装置１の投薬部１６が、前記慢性疾患者の  柱状骨（Ｂ）に位置するため、前記薬物カートリッジ３０の内容物が浸透圧現象による拡散作用によって人体に投薬される。
【００３６】
一方、前記受容部１２に受容された前記薬物カートリッジ３０の寿命が終わって交換しようとする場合、前記蓋部２０を開放した状態で、前記引き出し突起３４を引っ張って、前記薬物カートリッジ３０を引き出すことができる。
【００３７】
以上のように、本発明では、構成要素を限定された実施形態及び図面によって説明したが、これは本発明のより全般的な理解を助けるために提供されたものに過ぎなく、後述する特許請求範囲だけでなく、特許請求範囲と均等範囲に属するか等価的変形がある全てのものが本発明の技術思想の範疇に属する。
【符号の説明】
【００３８】
１  薬物伝達装置、１０  インプラント、１２  受容部、１２−５  ガイド溝、１４  拡散部、１６  投薬部、２０  蓋部、３０  薬物カートリッジ、３２  ガイド突起、３４  引き出し突起。
【図１】
2015511159.tif 000003
【図２（ａ）】
2015511159.tif 000004
【図２（ｂ）】
2015511159.tif 000005
【図２（ｃ）】
2015511159.tif 000006
【図３】
2015511159.tif 000007
【国際調査報告】
2015511159.tif 000008
2015511159.tif 000009
2015511159.tif 000010
2015511159.tif 000011